(57)【要約】【課題】眼精疲労を防ぎ、併せて近視の進行を抑制することができる単焦点レンズリムレス眼鏡を提供する。【解決手段】一対の単焦点レンズ１１０と、該一対の単焦点レンズ１１０を連結するブリッジ側部材１５０と、該一対の単焦点レンズのそれぞれに固設されたヨロイ側部材１４０と、該ヨロイ側部材のそれぞれに連結されたテンプルと、を備える単焦点レンズリムレス眼鏡１００であって、前記一対の単焦点レンズ１１０のそれぞれの下縁部１１０ｂの少なくとも一部が、両レンズ間の中心線Ａ上の一点Ｃを中心とする円弧Ｂに沿って削除されている。【選択図】図７
2008122432.tif 000002
【特許請求の範囲】
【請求項１】
一対の単焦点レンズと、該一対の単焦点レンズを連結するブリッジ側部材と、該一対の単焦点レンズのそれぞれに固設されたヨロイ側部材と、該ヨロイ側部材のそれぞれに連結されたテンプルと、を備える単焦点レンズリムレス眼鏡であって、
前記一対の単焦点レンズのそれぞれの下縁部の少なくとも一部が、両レンズ間の中心線上の一点を中心とする円弧に沿って削除されていることを特徴とする単焦点レンズリムレス眼鏡。
【請求項２】
前記ブリッジ側部材は、前記一対の単焦点レンズにそれぞれ固定されるブリッジ側の第一の部材と、ブリッジに連設され該ブリッジ側の第一の部材に着脱可能に弾性的にそれぞれ係合されるブリッジ側の第二の部材とを含むことを特徴とする請求項１に記載の単焦点レンズリムレス眼鏡。
【請求項３】
前記ヨロイ側部材は、前記一対の単焦点レンズにそれぞれ固定されるヨロイ側の第一の部材と、ヨロイに連設され該ヨロイ側の第一の部材に着脱可能に弾性的にそれぞれ係合されるヨロイ側の第二の部材と、を含むことを特徴とする請求項１または２に記載の単焦点レンズリムレス眼鏡。
【請求項４】
前記一対の単焦点レンズは、近眼用であることを特徴とする請求項１ないし３のいずれかに記載の単焦点レンズリムレス眼鏡。
【発明の詳細な説明】
【技術分野】
【０００１】
本発明は、単焦点レンズリムレス眼鏡、特に裸眼視力をも有効に活用できる単焦点レンズリムレス眼鏡に関する。
【背景技術】
【０００２】
一般に、我々の眼は毛様筋の作用と水晶体の弾力性により、見ようと思う物の距離に応じて眼の屈折力を変化させる、いわゆる調節作用を行なっている。このような調節作用の低下に起因する、近視、遠視あるいは老眼などにそれぞれ対応して処方された眼鏡が用いられている。
【０００３】
ところで、このように特定の症状に処方された眼鏡であっても、例えば、遠方の物ははっきりと見えるが近くの物は見づらい、またはその逆であることから、眼鏡を掛けかえることなく、遠近両用の視力を得ることができる二重焦点レンズの眼鏡が種々紹介されている。例えば、非特許文献１参照。
【０００４】
この非特許文献１に紹介された二重焦点レンズの眼鏡では、遠用レンズの下方に焦点距離の異なる近用レンズを、貼着または融着により取付けたり、あるいは、一枚のレンズ材を特殊研磨法で遠用と近用とに別々に磨き分けている。
【０００５】
【非特許文献１】日本眼衛生協会発行  「めがねの百科」  (昭和５１年３月１０日、再版発行)  第４０〜４７頁
【発明の開示】
【発明が解決しようとする課題】
【０００６】
かかる非特許文献１に紹介されている二重焦点レンズの眼鏡においては、上方と下方のレンズの光学中心の距離に起因する、眼を移動したときの像の跳躍による不快感の問題や、境界の累進帯における収差による眼精疲労の問題が指摘されている。
【０００７】
ところで、近視の人に処方される近眼用の眼鏡においては、軽度である初期段階では、「遠方を見るときだけに使用される眼鏡」が処方されるのが一般的である。これは、手元を見るときは裸眼で見た方が眼精疲労が生じにくく、また、そのようにすれば近視の進行を抑制するのに効果があることが確認されているからである。
【０００８】
しかしながら、手元を裸眼で見るためには、装着している眼鏡を外す必要があり、面倒である。すなわち、例えば、授業中、黒板と手元とを交互に頻繁に見なければならない学生等では、このような眼鏡の頻繁な掛け外しをその度に行なうのは極めて面倒で困難である。
【０００９】
これに対処すべく、上述の二重焦点レンズの眼鏡を用いることも可能ではあるが、上述のような不快感や眼精疲労の問題が存在し、また、これでは近視の進行を抑制することは望めない。
【００１０】
そこで、本発明は、かかる事情に鑑みて、眼精疲労を防ぎ、併せて近視の進行を抑制することができる単焦点レンズリムレス眼鏡を提供することを課題とする。
【課題を解決するための手段】
【００１１】
上記目的を達成する本発明の一形態にかかる単焦点レンズリムレス眼鏡は、一対の単焦点レンズと、該一対の単焦点レンズを連結するブリッジ側部材と、該一対の単焦点レンズのそれぞれに固設されたヨロイ側部材と、該ヨロイ側部材のそれぞれに連結されたテンプルと、を備える単焦点レンズリムレス眼鏡であって、前記一対の単焦点レンズのそれぞれの下縁部の少なくとも一部が、両レンズ間の中心線上の一点を中心とする円弧に沿って削除されていることを特徴とする。
【００１２】
ここで、前記ブリッジ側部材は、前記一対の単焦点レンズにそれぞれ固定されるブリッジ側の第一の部材と、ブリッジに連設され該ブリッジ側の第一の部材に着脱可能に弾性的にそれぞれ係合されるブリッジ側の第二の部材とを含むことが好ましい。
【００１３】
また、前記ヨロイ側部材は、前記一対の単焦点レンズにそれぞれ固定されるヨロイ側の第一の部材と、ヨロイに連設され該ヨロイ側の第一の部材に着脱可能に弾性的にそれぞれ係合されるヨロイ側の第二の部材と、を含むことが好ましい。
【００１４】
さらに、前記一対の単焦点レンズは、近眼用であることが好ましい。
【発明の効果】
【００１５】
上記本発明の一形態によれば、前記一対の単焦点レンズのそれぞれの下縁部の少なくとも一部が、両レンズ間の中心線上の一点を中心とする円弧に沿って削除されている。従って、遠方を見るときは単焦点レンズを通しての視野が広く確保される。一方、近傍の手元を見るときは、目線が下向きとなるように眼球が移動されるが、このとき眼球からの経路である円状の視野は、両レンズ間の中心線上の一点を中心とする円弧に沿って削除されている単焦点レンズの下縁部の少なくとも一部との干渉が回避されるので、近傍における視野が広く確保された状態で、裸眼でもって手元を見ることが可能である。よって、眼精疲労を防ぎ、併せて近視の進行を抑制することができる単焦点レンズリムレス眼鏡を得ることができる。
【００１６】
ここで、前記ブリッジ側部材が、前記一対の単焦点レンズにそれぞれ固定されるブリッジ側の第一の部材と、ブリッジに連設され該ブリッジ側の第一の部材に着脱可能に弾性的にそれぞれ係合されるブリッジ側の第二の部材とを含む形態によれば、ブリッジに連設されたブリッジ側の第二の部材を一対の単焦点レンズにそれぞれ固定されたブリッジ側の第一の部材から容易に取外すことが可能であるから、眼鏡装着者の瞳孔間距離に合わせて、ブリッジに連設されたブリッジ側の第二の部材を交換することにより、手元の裸眼視野範囲が広くなるように容易に調整することができる。
【００１７】
また、前記ヨロイ側部材が、前記一対の単焦点レンズにそれぞれ固定されるヨロイ側の第一の部材と、ヨロイに連設され該ヨロイ側の第一の部材に着脱可能に弾性的にそれぞれ係合されるヨロイ側の第二の部材とを含む形態によれば、ヨロイ側の第二の部材を一対の単焦点レンズにそれぞれ固定されたヨロイ側の第一の部材から容易に取外すことが可能であるから、眼鏡装着者の顔幅に合わせて、ヨロイに連設されたヨロイ側の第二の部材を交換することにより、装着感に優れた単焦点レンズリムレス眼鏡が得られる。
【００１８】
さらに、前記一対の単焦点レンズが、近眼用である形態によれば、上記効果を確実に奏することができる。
【発明を実施するための最良の形態】
【００１９】
以下、本発明の実施の形態を、添付図面を参照しつつ説明する。なお、本明細書の記述において、「前後」、「左右」および「上下」等の方向を表す表現は、眼鏡が通常の状態で人に装着されているときの方向を表している。
【００２０】
まず、本発明の単焦点レンズリムレス眼鏡の一実施形態を図１ないし図６を参照して説明する。
【００２１】
本発明の一実施形態に係る単焦点レンズリムレス眼鏡１００は、近眼用の左右のレンズ１１０と、レンズ１１０に固設された、第一の部材としてのヨロイ側樹脂パーツ１２０およびブリッジ側樹脂パーツ１３０と、テンプル１７０にヒンジ１６０を介して連結された第二の部材としてのヨロイ１４０および同じく第二の部材としてのブリッジ１５０とを備えている。
【００２２】
第一の部材としてのヨロイ側樹脂パーツ１２０は、図２（Ａ）ないし（Ｃ）に詳細に示すように、レンズ１１０の外側面にほぼ平行な面内に延在し、一部がレンズ１１０の側面に当接して位置されるほぼ長円形状の基部１２２と、該基部１２２から延出し、レンズ１１０の後面に位置される腕部１２４と、該腕部１２４から前方に、基部１２２とほぼ平行に突出する脚部１２６とを有し、基部１２２の外周部には取付溝１２８が形成されている。
【００２３】
該取付溝１２８が形成された長円形状の基部１２２は、二つの円弧部１２２ｆおよび１２２ｒを含んでおり、本実施の形態では、該二つの円弧部がレンズ１１０の光軸にほぼ平行する前後方向に配置されている。
【００２４】
そして、取付溝１２８は、長円形状の基部１２２の少なくとも後側の円弧部１２２ｒを含む部分に形成されていればよいが、後述する第二の部材の取付を確実にするために、前側および後側の二つの円弧部１２２ｆおよび１２２ｒを含む長円状外周部の全周に亘り形成されている。その結果、取付溝１２８のその底部は、側方から見たとき、図２（Ｃ）に示すように、前側の円弧部１２８ｆおよび後側の円弧部１２８ｒとこれらの間の平行部１２８ｐとを有する形状となる。
【００２５】
同じく、第一の部材としてのブリッジ側樹脂パーツ１３０は、図３（Ａ）ないし（Ｃ）に詳細に示すように、レンズ１１０の内側面にほぼ平行な面内に延在し、一部がレンズ１１０の側面に当接して位置されるほぼ長円形状の基部１３２と、該基部１３２から延出しレンズ１１０の後面に位置される腕部１３４と、該腕部１３４から前方に、基部１３２とほぼ平行に突出する脚部１３６とを有し、基部１３２の外周部には取付溝１３８が形成されている。該取付溝１３８が形成された長円形状の基部１３２は、二つの円弧部１３２ｔおよび１３２ｂを含んでおり、本実施の形態では、該二つの円弧部がレンズ１１０の光軸にほぼ直交する上下方向に配置されている。
【００２６】
そして、取付溝１３８は、該長円形状の基部１３２の少なくとも上側の円弧部１３２ｔを含む部分に形成されていればよいが、後述する第二の部材としてのブリッジ１５０との取付を確実にするために、二つの円弧部１３２ｔおよび１３２ｂを含む長円状外周部の全周に亘り形成されている。その結果、取付溝１３８のその底部は、側方から見たとき、図３（Ｃ）に示すように、上側の円弧部１３８ｔおよび下側の円弧部１３８ｂとこれらの間の平行部１３８ｐとを有する形状となる。
【００２７】
なお、本実施の形態では、レンズ１１０には、図１（Ａ）および図１（Ｂ）から明らかなように、その内外側縁部近傍にレンズ孔１１１がそれぞれ穿設されている。
【００２８】
ヨロイ側の第二の部材としてのヨロイ１４０は、図４（Ａ）ないし（Ｃ）に詳細に示すように、本実施の形態では一本の金属線材（例えば、ニッケル・クロム合金、ニッケル・チタン合金等の弾性材）から形成され、その一端部には後述するヒンジ１６０が設けられている。そして、該ヒンジ１６０を介してテンプル１７０が連結されている。なお、このヒンジ１６０を設けることなく、テンプル１７０を一体的に形成してもよい。
【００２９】
ここで、ヨロイ１４０には、ヒンジ１６０と逆側の端部に、ヨロイ側樹脂パーツ１２０に一方向から導入され、その取付溝１２８に弾性的に係合する略Ｕ字状の湾曲部１４２が形成されている。略Ｕ字状の湾曲部１４２は、詳しくは、ヒンジ１６０に連なる第１脚部１４３と第２脚部１４４とに連続し、第１脚部１４３と第２脚部１４４とが取付溝１２８の平行部１２８ｐを挟む形態で弾性的に係合する。
【００３０】
次に、ブリッジ１５０は、同じく、金属線材（例えば、チタン合金、ニッケル・クロム合金、ニッケル・チタン合金等の弾性材）から、図５に詳細に示すように、第１のＵ字状湾曲部１５２とこれに連なる第２のＵ字状湾曲部１５５および第３のＵ字状湾曲部１５８とを備えて形成され、本実施の形態では、該第１のＵ字状湾曲部１５２の第１脚部１５２Ａ同士が左右方向に延在する連結部１５１で連結されている。なお、第１のＵ字状湾曲部１５２の第２脚部１５２Ｂは第２のＵ字状湾曲部１５５の第１脚部１５５Ａと直線的に連続し、第１のＵ字状湾曲部１５２の第１脚部１５２Ａと第２脚部１５２Ｂとの両脚部がブリッジ側樹脂パーツ１３０の取付溝１３８に係合する。そして、第２のＵ字状湾曲部１５５の第２脚部１５５Ｂに続いて、鼻当てパッド１８０を取付けるための第３のＵ字状湾曲部１５８が形成されている。この第３のＵ字状湾曲部１５８は第２のＵ字状湾曲部１５５の第２脚部１５５Ｂと直線的に連続して形成された第１脚部１５８Ａと、これに平行な第２脚部１５８Ｂを有している。さらに、第２脚部１５８Ｂの自由端側には、第１脚部１５８Ａに近接するように屈曲された屈曲部１５８Ｃが形成されている。
【００３１】
ここで、第１のＵ字状湾曲部１５２は眼鏡の下方向に凸で、その第１脚部１５２Ａと第２脚部１５２Ｂとは互いに平行であり、一方、第１のＵ字状湾曲部１５２の第２脚部１５２Ｂと直線的に連続する第１脚部１５５Ａを有する第２のＵ字状湾曲部１５５は眼鏡の上方向に凸で、その第１脚部１５５Ａと第２脚部１５５Ｂとも互いにほぼ平行である。但し、第１のＵ字状湾曲部１５２の第１脚部１５２Ａとその第２脚部１５２Ｂ（および第２のＵ字状湾曲部１５５の第１脚部１５５Ａ）とは、図１（Ａ）から明らかなように、眼鏡の前方から見てほぼ重なるよう形成されている。
【００３２】
なお、鼻当てパッド１８０は、本実施の形態では、軟質樹脂材料で形成されて安全性がより高められている。そして、この鼻当てパッド１８０には、その裏面側に硬質樹脂材料で形成された取付部材１９０が設けられている。この取付部材１９０は鼻当てパッド１８０に埋設された直方体形状の基部１９２と、該基部１９２から延出し、鼻当てパッド１８０の裏面に突出する直方体形状の突出部１９４とを有し、突出部１９４の根本の外周部には取付溝１９６が形成されている。そして、この取付溝１９６の底部は、前述のブリッジ側樹脂パーツ１３０と同様に、上側および下側の二つの円弧部とこれらの間の平行部とを有する、側方から見たとき長円形状をなしている。
【００３３】
そして、本実施の形態にかかる鼻当てパッド１８０の取付けは、ブリッジ１５０の第３のＵ字状湾曲部１５８を下向きにして、その第１脚部１５８Ａとその第２脚部１５８Ｂとを鼻当てパッド１８０の取付溝１９６に下方向から導入することにより行われる。導入完了時には、第３のＵ字状湾曲部１５８が取付溝１９６の下側の円弧部に係合し、その第１脚部１５８Ａとその第２脚部１５８Ｂとが取付溝１９６の平行部を弾性的に挟持し、さらに、第２脚部１５８Ｂの自由端近傍の屈曲部１５８Ｃが取付溝１９６の上側の円弧部に回り込んで係合する。この結果、鼻当てパッド１８０はガタツキ等が防止されて、ブリッジ１５０に確実に連結される。
【００３４】
さらに、ヒンジ１６０とテンプル１７０につき、図６を主に参照して説明する。本実施の形態においては、ヒンジ１６０が略鼓状のソケット部材１６２とテンプル１７０の端部に形成されたＪ字状曲折部１７２との組合せにより構成されている。より詳しくは、ソケット部材１６２には中心に貫通孔１６４が形成されると共に、その側面に、部分環状の凹部１６６およびヨロイ１４０の第１脚部１４３を取付けるための切欠き１６８が形成されている。そして、このソケット部材１６２は、本実施の形態においては、上述したヨロイ１４０の第１脚部１４３が切欠き１６８の直線状部に接合される形態で、ヨロイ１４０と一体に形成されている。
【００３５】
金属線材（例えば、チタン合金、ニッケル・クロム合金、ニッケル・チタン合金等の弾性材）からなるテンプル１７０の端部に形成されたＪ字状曲折部１７２は、図６（Ｄ）に示すように、ソケット部材１６２の貫通孔１６４に挿通される第１脚部１７４とこれにＵ字状湾曲部１７５を介して連続する平行な第２脚部１７６とを備え、さらに、本実施の形態においては、第２脚部１７６の端部から直角に折り曲げられた第３脚部１７８を有している。そして、テンプル１７０の第１脚部１７４が貫通孔１６４に挿通されたとき、第３脚部１７８が凹部１６６に係合し、第１脚部１７４と第３脚部１７８とでソケット部材１６２を弾性的に挟持するようにされている。
【００３６】
次に、上述した単焦点レンズリムレス眼鏡１００のレンズ形状につき、図７を参照して説明するが、その前に、本発明の一実施形態における単焦点レンズリムレス眼鏡１００が組立られ完成される手順につき説明する。
【００３７】
まず、レンズ１１０の内外側縁部近傍のレンズ孔１１１にヨロイ側樹脂パーツ１２０の脚部１２６およびブリッジ側樹脂パーツ１３０の脚部１３６を後方から挿入することにより、ヨロイ側樹脂パーツ１２０およびブリッジ側樹脂パーツ１３０を、それぞれ、レンズ１１０に固着する。
【００３８】
次に、ヨロイ側樹脂パーツ１２０に対し、ヨロイ１４０を取付ける。この取付けは、ヨロイ１４０のＵ字状湾曲部１４２を後向きにして、その第１脚部１４３とその第２脚部１４４とをヨロイ側樹脂パーツ１２０の取付溝１２８に後方向から導入することにより行われる。導入完了時には、第１のＵ字状湾曲部１４２が取付溝１２８の後側の円弧部１２８ｒに係合し、その第１脚部１４３とその第２脚部１４４とが取付溝１２８の平行部１２８ｐを弾性的に挟持して係合する。この結果、ヨロイ１４０はヨロイ側樹脂パーツ１２０にガタツキ等が防止されて、確実に連結される。
【００３９】
そして、ヒンジ１６０を形成すべく、ヨロイ１４０に一体に接合されている略鼓状のソケット部材１６２にテンプル１７０を連結する。詳しくは、ソケット部材１６２の貫通孔１６４にテンプル１７０の端部に形成されたＪ字状曲折部１７２の第１脚部１７４を挿通して第２脚部１７６を側面に沿わせると共に、第３脚部１７８を凹部１６９に係合させ、第１脚部１７４と第３脚部１７８とでソケット部材１６２を弾性的に挟持させる。なお、このヒンジ１６０の形成は、ヨロイ１４０をヨロイ側樹脂パーツ１２０に対して取付ける前に行なってもよい。
【００４０】
そして、上述の状態におけるブリッジ側樹脂パーツ１３０に対し、ブリッジ１５０を取付けることにより、左右のレンズ１１０を連結する。この取付けは、ブリッジ１５０の第１のＵ字状湾曲部１５２を下向きにして、その第１脚部１５２Ａとその第２脚部１５２Ｂ（および第２のＵ字状湾曲部１５５の第１脚部１５５Ａ）とをブリッジ側樹脂パーツ１３０の取付溝１３８に下方向から導入することにより行われる。導入完了時には、第１のＵ字状湾曲部１５２が取付溝１３８の下側の円弧部１３８ｂに係合し、その第１脚部１５２Ａとその第２脚部１５２Ｂとが取付溝１３８の平行部１３８ｐを挟持し、左右のレンズ１１０を確実に連結することになる。かくて、単焦点レンズリムレス眼鏡１００は、ねじ等を一切用いることなく、各部品が連結されることにより完成される。
【００４１】
そして、単焦点レンズリムレス眼鏡１００のレンズ形状は、図7に示すように、上述の組立状態において、一対の単焦点レンズ１１０のそれぞれの下縁部１１０ｂの少なくとも一部、換言すると、両レンズ間の中心線Ａ寄り側が、中心線Ａ上の一点Ｃを中心とする半径Ｒの円弧Ｂに沿って削除された形状に形成されている。なお、この円弧Ｂの半径Ｒは、通常の装着者の手元を見る際の眼球の位置から、その瞳孔を中心とした視野を考慮して設定される。また、この円弧状に削除された少なくとも一部の下縁部１１０ｂを除く他の下縁部１１０ｂは、デザイン性等を考慮して、他の異なる半径ないしは曲率の曲線により滑らかに形成されてもよい。
【００４２】
次に、上記のように構成された本実施の形態による単焦点レンズリムレス眼鏡１００の作用について、図８（Ａ）および図８（Ｂ）と図９（Ａ）および図９（Ｂ）とを参照して説明する。
【００４３】
図８（Ａ）および図８（Ｂ）は、本実施の形態による単焦点レンズリムレス眼鏡１００によって、遠方を見るときの眼の位置と近眼用の単焦点レンズ１１０との関係を示す、それぞれ、側面図および正面図であり、眼の位置として、代表的に瞳孔の位置がＰｆで示されている。また、図９（Ａ）および図９（Ｂ）は、本実施の形態による単焦点レンズリムレス眼鏡１００によって、例えば、読書の際のように、手元を見るときの眼の位置と単焦点レンズ１１０との関係を示す、それぞれ、側面図および正面図であり、遠方時の瞳孔位置Ｐｆから手元時の瞳孔位置Ｐｎに移動した状態が示されている。そして、図９（Ａ）および図９（Ｂ）には、瞳孔の位置がＰｎに移動した結果として、単焦点レンズ１１０と同一平面上における目線の位置がＰｘで示されている。
【００４４】
これらの図から明らかなように、遠方を見るときの眼の位置は正面を向いており、その目線は水平方向で、両目の瞳孔位置Ｐｆ間の距離は、眼鏡装着者の瞳孔間距離ＰＤ（pupillary distance）と等しい。このときは、単焦点レンズ１１０を通しての視野が広く確保される。
【００４５】
一方、手元、例えば距離Ｄ（＝３０ｃｍ）先を見るときの眼の位置は、一般に、目線が水平方向から角度α（＝約３０°）以上下向きになると共に、遠方時の瞳孔位置Ｐｆから、上下方向の距離ｄｖ（＝約２ｍｍ）だけ下方で、および左右方向の距離ｄｈ（＝約２．５ｍｍ）程度それぞれ内側である瞳孔位置Ｐｎになるように眼球が移動される。そして、このときの眼球からの経路である目線は、左右の一対の単焦点レンズ１１０と同一平面上においては、単焦点レンズ１１０から外れる。詳しくは、それぞれの単焦点レンズ１１０の間の中心線Ａ上の一点Ｃを中心とする円弧Ｂに沿って削除されている単焦点レンズ１１０の少なくとも一部の下縁部１１０ｂと干渉しない位置Ｐｘとなる。従って、これらの目線を囲む円錐角（＝約９０°）の視野は、単焦点レンズ１１０の下縁部１１０ｂとの干渉が相当の範囲に亘り回避されるので、近傍における視野が広く確保された状態で、裸眼でもって手元を見ることが可能となるのである。
【００４６】
なお、上述の本実施形態に係る単焦点レンズリムレス眼鏡１００によって、従来の上下幅の小さい玉型のレンズに比較して遠方視野が拡大されて確保される様子を図１０に、また、従来の上下幅が普通の玉型のレンズに比較して手元を裸眼で見ることができる視野が妨げられない様子を図１１に示す。
【００４７】
ここで、図１０（Ａ）は従来の上下幅の小さい玉型のレンズの眼鏡を示し、図１０（Ｂ）は本実施形態に係る単焦点レンズリムレス眼鏡１００を示しており、図１０（Ｂ）おいて斜線が施された部分が、遠方視野が拡大されて確保される領域である。
【００４８】
また、図１１（Ａ）は従来の上下幅が普通の玉型のレンズの眼鏡を示し、図１１（Ｂ）は本実施形態に係る単焦点レンズリムレス眼鏡１００を示しており、図１１（Ｂ）おいて斜線が施された部分が、本実施形態に係る単焦点レンズリムレス眼鏡１００で下縁部１１０ｂが円弧に沿って削除された領域、すなわち、手元を裸眼で見ることができる視野が妨げられない領域である。
【００４９】
さらに、図１２には本実施形態に係る単焦点レンズリムレス眼鏡１００の使用態様を示す。図１２（Ａ）および図１２（Ｂ）は、それぞれ、瞳孔間距離ＰＤ（＝６．５ｍｍ、６．８ｍｍ）が異なる装着者に対応して、サイズを異ならせたブリッジ１５０が用いられている態様である。本実施形態においては、ブリッジ１５０を一対の単焦点レンズ１１０にそれぞれ固定されたブリッジ側樹脂パーツ１３０から容易に取外すことが可能であるから、眼鏡装着者の瞳孔間距離ＰＤに合わせて、ブリッジ１５０を単に交換することにより、手元の裸眼視野範囲が広くなるように容易に眼鏡の瞳孔間距離ＰＤを調整することができる。また、眼鏡装着者の顔幅の違いに対応する際は、ヨロイ１４０を一対の単焦点レンズ１１０にそれぞれ固定されたヨロイ側樹脂パーツ１２０から容易に取外すことが可能であるから、眼鏡装着者の顔幅に合わせて、ヨロイ１４０を単に交換することにより、装着感に優れた単焦点レンズリムレス眼鏡１００が得られる。
【００５０】
さらに、図１３には本実施形態に係る単焦点レンズリムレス眼鏡１００の他の使用態様を示す。図１３（Ａ）および図１３（Ｂ）は、それぞれ、単焦点レンズ１１０へのレンズ孔１１１の穿設位置が上下方向において異なる態様が示されている。このように、レンズ孔１１１の穿設位置を異ならせることにより、これらに固定されるヨロイ側樹脂パーツ１２０およびブリッジ側樹脂パーツ１３０、延いては、これらに取付けられるヨロイ１４０およびブリッジ１５０の単焦点レンズ１１０への上下方向での相対位置を異ならせ、装着者の好みに合わせた視野の調整が容易にできるのである。
【００５１】
以上、本発明の好ましい実施形態および使用態様につき説明したが、本発明は上記実施形態に限定されるものではない。すなわち、一および他の実施の形態にそれぞれ示された特徴を相互に入れ換えて採用することも可能である。例えば、ヨロイ側樹脂パーツ１２０およびブリッジ側樹脂パーツ１３０、ヨロイ１４０およびブリッジ１５０の差し込み方向等は相互に入れ換えてもよい。さらに、図１２および図１３に示した使用態様も適宜組み合わせて用いることも可能である。
【図面の簡単な説明】
【００５２】
【図１】本発明の一実施の形態に係る単焦点レンズリムレス眼鏡を示し、（Ａ）は正面図、（Ｂ）は平面図、（Ｃ）は側面図である。
【図２】本発明の一実施の形態に係る単焦点レンズリムレス眼鏡のヨロイ側の第一の部材を示す、（Ａ）正面図（Ｂ）平面図、および（Ｃ）側面図である。
【図３】本発明の一実施の形態に係る単焦点レンズリムレス眼鏡のブリッジ側の第一の部材を示す、（Ａ）正面図、（Ｂ）平面図、および（Ｃ）側面図である。
【図４】本発明の一実施の形態に係る単焦点レンズリムレス眼鏡のヨロイ側の第二の部材（ヨロイ）を示す、（Ａ）正面図、（Ｂ）平面図、および（Ｃ）側面図である。
【図５】本発明の一実施の形態に係る単焦点レンズリムレス眼鏡のブリッジ側の第二の部材（ブリッジ）を示す斜視図である。
【図６】本発明の一実施の形態に係る単焦点レンズリムレス眼鏡のヒンジを示す、（Ａ）正面図、（Ｂ）平面図、（Ｃ）側面図、および（Ｄ）結合前の分解斜視図である。
【図７】本発明の一実施形態のレンズ形状を説明するための単焦点レンズリムレス眼鏡の正面図である。
【図８】本発明の一実施形態において、遠方を見るときの眼の位置と近眼用の単焦点レンズとの関係を示す、（Ａ）側面図および（Ｂ）正面図である。
【図９】本発明の一実施形態において、手元を見るときの眼の位置と単焦点レンズ１１０との関係を示す、（Ａ）側面図および（Ｂ）正面図である。
【図１０】本発明の一実施形態と従来品とを比較説明するための正面図であり、（Ａ）は従来の上下幅の小さい玉型のレンズの眼鏡、（Ｂ）は本実施形態に係る単焦点レンズリムレス眼鏡を示す。
【図１１】本発明の一実施形態と従来品とを比較説明するための正面図であり、（Ａ）は従来の上下幅が普通の玉型のレンズの眼鏡、（Ｂ）は本実施形態に係る単焦点レンズリムレス眼鏡を示す。
【図１２】本発明の実施形態に係る単焦点レンズリムレス眼鏡の使用態様を示す正面図であり、（Ａ）および（Ｂ）は、それぞれ、瞳孔間距離ＰＤが異なる装着者に対応して、サイズを異ならせたブリッジが用いられている態様を示している。
【図１３】本発明の実施形態に係る単焦点レンズリムレス眼鏡の他の使用態様を示す正面図であり、（Ａ）および（Ｂ）は、それぞれ、単焦点レンズへのレンズ孔の穿設位置が上下方向において異ならされた態様を示している。
【符号の説明】
【００５３】
１１０    単焦点レンズ
１１０ｂ    単焦点レンズの下縁部
１２０    ヨロイ側樹脂部材（ヨロイ側の第一の部材）
１３０    ブリッジ側樹脂部材（ブリッジ側の第一の部材）
１４０    ヨロイ（ヨロイ側の第二の部材）
１５０    ブリッジ（ブリッジ側の第二の部材）
１６０    ヒンジ
１７０    テンプル
【図１】
2008122432.tif 000003
【図２】
2008122432.tif 000004
【図３】
2008122432.tif 000005
【図４】
2008122432.tif 000006
【図５】
2008122432.tif 000007
【図６】
2008122432.tif 000008
【図７】
2008122432.tif 000009
【図８】
2008122432.tif 000010
【図９】
2008122432.tif 000011
【図１０】
2008122432.tif 000012
【図１１】
2008122432.tif 000013
【図１２】
2008122432.tif 000014
【図１３】
2008122432.tif 000015